(57)【要約】      （修正有）【課題】容器から醤油やソースなどの液体を注出する際の垂れや詰り或いは転倒時の零れ等が防止できる液体用容器を提供する。【解決手段】蓋１に突出した管状注出口２を有する弾性変形可能な液体用容器に於いて、管状注出口２が弾性変形可能で且つその途中が扁平に密着された扁平部21を形成すると共に扁平部21を開口可能と成し、管状注出口２の先端側を折曲させた構造とする。また管状注出口２の断面形状を略Ｘ字状とするのが好ましい。【選択図】図１
0003113032.tif 000002
【実用新案登録請求の範囲】
【請求項１】
蓋（１）に突出した管状注出口（２）を有する弾性変形可能な液体用容器に於いて、前記管状注出口（２）が弾性変形可能で且つその途中が扁平に密着された扁平部（21）を形成すると共に該扁平部（21）を開口可能と成し、前記管状注出口（２）の先端側を折曲させたことを特徴とする液体用容器。
【請求項２】
前記扁平部（21）の断面形状が略Ｘ字状である請求項１記載の液体用容器。
【考案の詳細な説明】
【技術分野】
【０００１】
本考案は容器から液体を注出する際の液の垂れや詰り或いは転倒時の零れ等が防止できる液体用容器、特には食卓で使用する醤油やソースなどの液体の零れが防止できる液体用容器に関する。
【背景技術】
【０００２】
一般に食卓で使用する醤油やソースなどが入れられた液体用容器は、注出口に醤油やソースなどがへばり付いて注出しにくくなると共に、液体用容器を誤って転倒させると、中身の醤油やソースなどが零れ出て周囲を汚してしまう事故を起こし易かった。このため、液体用容器の注出口に蓋を付けたものや液体用容器を誤って転倒させても中身が零れ出ないように蓋を工夫したものなどが市販されている。
【０００３】
しかしながら注出口に蓋を付けた前記液体用容器は、使用する毎に蓋を取外したり取付けたりしなければならず、面倒であると共にこの注出口に付ける蓋は紛失し易いものであった。また蓋を工夫した前記液体用容器としては、ラー油を入れた液体用容器があるが、これを使用する場合には、蓋の上方に設けた凸部を押すと一滴分が出されるようになっており、五滴以上出したい時には時間が掛かり、押出す回数が多くなると出された量が見誤り易くなると共に、醤油やソースなどのように多く出される場合には、少量ずつ出される機構のものでは面倒であり、この機構を有した液体用容器はラー油用以外には殆ど使用されていないのが現状である。このため、液体用容器から液体を注出する際の液体の垂れや詰り或いは転倒時の零れ等が防止できる醤油やソースなどの液体用容器の開発が要望されていた。
【特許文献１】なし
【考案の開示】
【考案が解決しようとする課題】
【０００４】
本考案は容器から醤油やソースなどの液体を注出する際の垂れや詰り或いは転倒時の零れ等が防止できる液体用容器を提供することを目的とする。
【課題を解決するための手段】
【０００５】
本考案は上記要望に応えるために成されたものであり、つまり、蓋に突出した管状注出口を有する弾性変形可能な液体用容器に於いて、管状注出口が弾性変形可能で且つその途中が扁平に密着された扁平部を形成すると共に扁平部を開口可能と成し、管状注出口の先端側を折曲させたものと成す。また管状注出口の断面形状を略Ｘ字状とするのが好ましい。
【考案の効果】
【０００６】
請求項１のように蓋（１）に突出した管状注出口（２）を有する弾性変形可能な液体用容器に於いて、管状注出口（２）が弾性変形可能で且つその途中が扁平に密着された扁平部（21）を形成すると共に該扁平部（21）を開口可能と成し、管状注出口（２）の先端側を折曲させることにより、食卓で使用する醤油やソースなどの必要量だけを簡単に注出させることができ、且つ従来の注出口のように醤油やソースなどがへばり付いて注出しにくくなる恐れがなくなると共に、液体用容器を誤って転倒させても中身の醤油やソースなどが零れ出て周囲を汚してしまう恐れもなくなる。更に途中が扁平に密着された扁平部（21）を形成すると共に管状注出口（２）の先端側を折曲させることは簡単な工程で行え、製作コストも余り掛からないため、本考案の液体用容器を安価に提供出来るものとなる。
【０００７】
請求項２のように扁平部（21）の断面形状を略Ｘ字状にすることにより、中身の醤油やソースなどが容易に扁平部（21）を押し広げて通過すると共に中身を必要量だけ注出した後は扁平部（21）によって中身が外部へ出ることを素早く防止可能なものとなり、且つ中身が外部と遮断されるため、品質低下が防止出来るものとなる。
【考案を実施するための最良の形態】
【０００８】
図１は本考案の実施形態を示す図であり、これに基づき説明する。(１)は軟質或いは硬質の合成樹脂製の蓋であり、該蓋（１）の上部には後述する管状注出口（２）を取付けるための嵌合用突起或いは取付用の穴が設けられている。また前記蓋（１）の上面に、前記管状注出口（２）から中身が最後までスムーズに出るように管状注出口（２）の取付部を中心にして傾斜が設けられたものとするのが好ましい。
【０００９】
（２）は蓋（１）に突出させた管状注出口であり、該管状注出口（２）は弾性変形可能な合成樹脂或いはゴムなどの材質で且つ透明或いは半透明のもので形成されており、その途中が扁平に密着された扁平部（21）を形成すると共に該扁平部（21）を開口可能と成している。また前記管状注出口（２）の先端側には折曲部（22）が設けられている。又、前記扁平部（21）の断面形状を図２に示すように略Ｘ字状に形成させるのが好ましい。この扁平部（21）の形成方法としては、熱を加えて管状注出口（２）を柔らかくさせた後、両側から冶具で押し潰して形成させると同時に扁平に密着された部分は接触しているが圧着されない状態となるような低い温度で行われる。この時、扁平部（21）は後述する容器本体（３）が押圧された時に開口し、その押圧が戻されると扁平部（21）が密着接触して閉じられるように成し、この扁平部（21）は開閉弁の役目を果すのである。尚、前記管状注出口（２）は透明或いは半透明のものに限定されるものではない。又、前記扁平部（21）を形成する場合、管状注出口（２）が成型品である時には扁平部（21）も一緒に形成させると良い。
【００１０】
（３）は上方開口部に蓋（１）を螺合或いは嵌合させた容器本体であり、該容器本体（３）は弾性変形可能な材質、例えば軟質な合成樹脂を用いると良い。尚、前記容器本体（３）と蓋（１）は市販されている一般的なものを用い、前記管状注出口（２）が蓋（１）から突出されるように後加工して形成させたものとしても良い。
【００１１】
次に本考案の作用を図２に基づいて説明する。予め容器本体（３）に醤油やソースなどを入れておく。そして食卓の上に乗せられた料理に醤油やソースなどを掛ける場合、先ず始め容器本体（３）を傾けて管状注出口（２）の先端を料理の上に向ける。この時、中身は容器本体（３）から管状注出口（２）の扁平部（21）まで流れ込むと共に扁平部（21）が図２（ａ）に示すように密着して閉じた状態になっているので、中身は扁平部（21）より先には行かない。つまり、中身は外部へ漏れない状態となる。次に容器本体（３）の周囲を手で押す。この時、容器本体（３）内部の空気圧によって外部に向って押出力が加わる。すると、中身は扁平部（21）を図２（ｂ）の矢印のように押し広げられて一気に白抜き矢印のように通過し、且つその先端側に設けた折曲部（22）に当るため、醤油やソースなどの勢いが弱められた状態で外部へ出されるので、醤油やソースなどは外部へ一気に押出されて飛び散る恐れがないものとなる。必要量の醤油やソースなどが料理に掛けられた後、容器本体（３）を押圧している手が離されると、容器本体（３）の空気圧が低くなるため、管状注出口（２）内部に残った醤油やソースなどは吸い戻されて容器本体（３）の内部に納まる。吸い戻される際には外部の空気を吸い込むと共に扁平部（21）は復元力で元に戻されて図２（ｃ）のように密着するので、開口が閉じて外部と遮断され、中身の酸化を防止することが出来るものとなる。このため、品質の劣化が防止されると共に蒸発が殆どなくなるため、中身の日持ちは良いものとなる。
【００１２】
このように容器本体（３）に醤油やソースなどを入れて使用すれば、料理に醤油やソースを掛けた後、醤油やソースが吸い込まれて管状注出口（２）内部がきれいに保たれるため、従来の如き注出口に醤油やソースなどがへばり付いて注出しにくくなる恐れがなくなる。更に容器本体（３）を誤って転倒させても中身の醤油やソースなどが零れ出て周囲を汚す恐れもないものとなるのである。
【産業上の利用可能性】
【００１３】
本考案は食卓で使用する醤油やソースなどの液体用容器だけでなく、料理用のオリーブオイルや液体調味料及び他の飲食用容器として使用しても良い。更には材質に変化を生じない液体、つまり、劣化や亀裂などが生じる恐れのない液体に対して液体用容器として使用しても良い。また本考案品全体の材質として耐薬品性のものを用いることにより、化学用として使用することも可能なものとなる。
【図面の簡単な説明】
【００１４】
【図１】本考案の実施形態を示す説明図である。
【図２】本考案の作用を示す説明図である。
【符号の説明】
【００１５】
１  蓋
２  管状注出口
21  扁平部
【図１】
0003113032.tif 000003
【図２】
0003113032.tif 000004